【手続補正書】
【提出日】平成17年10月27日(2005.10.27)
【手続補正１】
【補正対象書類名】明細書
【補正対象項目名】発明の名称
【補正方法】変更
【補正の内容】
【発明の名称】世界メッシュコードの作成方法、世界メッシュコード、およびプログラム
【手続補正２】
【補正対象書類名】明細書
【補正対象項目名】特許請求の範囲
【補正方法】変更
【補正の内容】
【特許請求の範囲】
【請求項１】位置情報を提供するための世界メッシュコードの作成方法であって、
地球表面について、経度６０度毎の経線に沿った線（１ａ）で分割して６つのゾーン（３）を形成するステップと、
前記各ゾーン（３）を、経度３６分毎の経線に沿った線（１ｂ）でさらに１００等分して帯（４）を形成し、該各帯（４）に西から東に向けて００から９９までの東西番号を付けるステップと、
前記帯（４）の任意の緯度における東西幅（Ｗ）が赤道上での経度３６分の東西幅（Ｗ1）に当該緯度での余弦値を乗じたものであることに基づき、隣接する緯線に沿った線（２ａ）の間隔を当該部分の帯（４）の東西幅（Ｗ）と同じにして、隣接する緯線に沿った線（２ａ）と隣接する経線に沿った線（１ｂ）とで形成される格子状の各メッシュ（６）が、常に正方形状になるように、南・北半球に、赤道（５）を起点にして順次に１５０本の緯線に沿った線（２）を引くステップと、
前記各１５０本の緯線に沿った線（２）の内、赤道（５）を挟んで南・北で各５０本目の緯線に沿った線（２）を境界線として、前記各ゾーン（３）を南北方向へ３分割してブロック化するステップと、
全部で１８個の前記各ブロック（７）に、ブロック番号（８）を付けるステップと、
前記各ブロック（７）内の各メッシュ（６）に、南北方向へ北端のものから順に００から９９までの南北番号を付けるステップと、
前記東西番号と南北番号を並べた４桁の数字をメッシュ番号（９）とするステップと、
前記各メッシュ（６）内を、さらに細分割用の経線に沿った線（１ｃ）と緯線に沿った線（２ｄ）とで細分割して、該各細メッシュ（１０）に東西と南北方向の細メッシュ番号（１１）または座標番号を付けるステップと、
を含む、前記番号（８、９、１１）を順に並べることにより位置情報を表現可能とする、世界メッシュコードの作成方法。
【請求項２】 地球表面を経線に沿った線（１ａ）で経度６０度毎に６つのゾーン（３）に分割する際に、その起点を西経１０度または東経１７０度とする、請求項１に記載の世界メッシュコードの作成方法。
【請求項３】地球表面について、経度６０度毎の経線に沿った線（１ａ）で６つのゾーン（３）に分割され、
前記各ゾーン（３）が、経度３６分毎の経線に沿った線（１ｂ）でさらに１００等分して帯（４）が形成され、各帯（４）に西から東に向けて００から９９までの東西番号が付され、
前記帯（４）の任意の緯度における東西幅（Ｗ）が赤道上での経度３６分の東西幅（Ｗ1）に当該緯度での余弦値を乗じたものであることに基づき、隣接する緯線に沿った線（２ａ）の間隔が当該部分の帯（４）の東西幅（Ｗ）と同じにされて、該隣接する緯線に沿った線（２ａ）と隣接する経線に沿った（１ｂ）とで形成される格子状の各メッシュ（６）が、常に正方形状になるように南・北半球に、赤道（５）を起点にして順次に１５０本の緯線に沿った線（２）が引かれ、
前記南・北半球で、赤道（５）を挟んで各５０本目の緯線に沿った線（２ｂ）を境界線として、各ゾーン（３）が南北方向へ３分割してブロック化され、
前記で形成された合計１８個の各ブロック７にブロック番号（８）が付され、
前記各ブロック（７）内の各メッシュ（６）に、南北方向へ北端のものから順に００から９９までの南北番号が付され、
前記東西番号と南北番号を並べてメッシュ番号（９）とされ、
前記各メッシュ（６）内がさらに細分割用の経線に沿った線（１ｃ）と緯線に沿った線（２ｄ）とで細分割されて、該各細メッシュ（１０）に東西と南北方向の細メッシュ番号（１１）または座標番号が付されており、
前記番号（８、９、１１）を順に並べることにより位置情報が表現可能とされた、世界メッシュコード。
【請求項４】地球表面につき、起点を西経１０度または東経１７０度として経度６０度毎の経線に沿った線（１ａ）で６つのゾーン３に分割された、請求項３に記載の世界メッシュコード。
【請求項５】位置情報をコンピュータによって容易に処理するためのプログラムであって、
地球表面について、経度６０度毎の経線に沿った線（１ａ）で分割して６つのゾーン（３）を形成する処理と、
前記各ゾーン（３）を、経度３６分毎の経線に沿った線（１ｂ）でさらに１００等分して帯（４）を形成し、該各帯（４）に西から東に向けて００から９９までの東西番号を付ける処理と、
前記帯（４）の任意の緯度における東西幅（Ｗ）が赤道上での経度３６分の東西幅（Ｗ1）に当該緯度での余弦値を乗じたものであることに基づき、隣接する緯線に沿った線（２ａ）の間隔を当該部分の帯（４）の東西幅（Ｗ）と同じにして、隣接する緯線に沿った線（２ａ）と隣接する経線に沿った線（１ｂ）とで形成される格子状の各メッシュ（６）が、常に正方形状になるように、南・北半球に、赤道（５）を起点にして順次に１５０本の緯線に沿った線（２）を引く処理と、
前記各１５０本の緯線に沿った線（２）の内、赤道（５）を挟んで南・北で各５０本目の緯線に沿った線（２）を境界線として、前記各ゾーン（３）を南北方向へ３分割してブロック化する処理と、
全部で１８個の前記各ブロック（７）に、ブロック番号（８）を付ける処理と、
前記各ブロック（７）内の各メッシュ（６）に、南北方向へ北端のものから順に００から９９までの南北番号を付ける処理と、
前記東西番号と南北番号を並べた４桁の数字をメッシュ番号（９）とする処理と、
前記各メッシュ（６）内を、さらに細分割用の経線に沿った線（１ｃ）と緯線に沿った線（２ｄ）とで細分割して、該各細メッシュ（１０）に東西と南北方向の細メッシュ番号（１１）または座標番号を付ける処理と、
前記番号（８、９、１１）を順に並べる処理と、をコンピュータに実行させるプログラム。
【請求項６】地球表面を経線に沿った線（１ａ）で経度６０度毎に６つのゾーン（３）に分割する際に、その起点を西経１０度または東経１７０度とする、請求項５に記載のプログラム。
【手続補正３】
【補正対象書類名】明細書
【補正対象項目名】０００１
【補正方法】変更
【補正の内容】
【０００１】
【発明の属する技術分野】
本発明は、地球的・世界的規模で位置情報を統一的・一元的に素早くかつ正確に認識し、表示・伝達できる世界メッシュコードの作成方法、世界メッシュコード、およびプログラムに関するものである。より詳しくは、世界をまずブロック化して、該各ブロック内をメッシュ化し、更に各メッシュ内を細分割して細メッシュ化または座標化するという階層化を果たし、上記に規則的な番号を付けて順に表示し、また日常的には番号表示を簡略にして、位置情報を正確かつ判り易く表現可能としたものである。
【手続補正４】
【補正対象書類名】明細書
【補正対象項目名】００１６
【補正方法】変更
【補正の内容】
【００１６】
即ち本発明の目的は、外国人も含めた一般人にも判り易い構成で、位置情報を世界的・地球的規模で統一的・一元的に、また日常的には市区町村単位で、素早くかつ正確に表現可能であり、さらに既存の緯度・経度等の座標方式やメッシュコードとも整合性をもち、かつ位置情報のコンピュータ化・デジタル化も容易になり、実用性・発展性に富んだ世界メッシュコードの作成方法、世界メッシュコード、およびプログラムを提供することにある。
【手続補正５】
【補正対象書類名】明細書
【補正対象項目名】００１８
【補正方法】変更
【補正の内容】
【００１８】
Ａ 本発明に係る世界メッシュコードの作成方法は、まず、地球表面について、経度６０度毎の経線に沿った線１ａで分割して６つのゾーン３を形成する。
上記各ゾーン３を、経度３６分毎の経線に沿った線１ｂでさらに１００等分して帯４を形成し、該各帯４に西から東に向けて００から９９までの東西番号を付ける。
南・北半球に、赤道５を起点にして順次に１５０本の緯線に沿った線２を引くが、上記帯４の任意の緯度における東西幅Ｗは赤道上での経度３６分の東西幅Ｗ1 に当該緯度での余弦値を乗じたものであることに基づき、隣接する緯線に沿った線２ａの間隔を当該部分の帯４の東西幅Ｗと同じようにして、隣接する緯線に沿った線２ａと隣接する経線に沿った１ｂとで形成される格子状の各メッシュ６が、常に正方形状になるように引いていく。
上記各１５０本の緯線に沿った線２の内、赤道５を挟んで南・北で各５０本目の緯線に沿った線２ｂを境界線として、上記各ゾーン３を南北方向へ３分割してブロック化する。
上記で形成された全部で１８個の上記各ブロック７に、ブロック番号８を付ける。
上記各ブロック７内の各メッシュ６に、南北方向へ北端のものから順に００から９９までの南北番号を付ける。
上記東西番号と南北番号を並べた４桁の数字をメッシュ番号９とする。
上記各メッシュ６内を、さらに細分割用の経線に沿った線１ｃと緯線に沿った線２ｄとで細分割して、該各細メッシュ１０に東西と南北方向の細メッシュ番号１１または座標番号を付ける。上記番号を順に並べることにより位置情報を表現可能にするものである。